(57)【要約】　　　（修正有）【課題】単一方向回転ギアの使用量を減少し、製造コストを節減するとともに、確実に肘掛を構成することのできるベッド兼用ソファーの肘掛フレーム構造部を提供する。【課題手段】一端に連結部５０１が一体に形成され、他端が背もたれフレームに回動自在に連結する第１支持桿５０と、一端が該第１支持桿の連結部に回動自在に連結し、他端が座部フレームに回動自在に連結する第２支持桿５１とによってなり、該第１支持桿の連結部を下方に折り曲げ、かつ両側面に貫通孔５０４を穿設し、第２支持桿の該連結部に連結する一端は上面が適宜な角度の円弧線を描く面取り部５１１が形成し、かつ該面取り部に連なる下方は垂直線状端縁部５１２とし、さらに両側面にはそれぞれ貫通孔５１３を穿設し、該面取り部が形成された一端を該第１支持桿の一端の連結部内に嵌挿し、それぞれの貫通孔の位置を合わせて回動軸を挿通させて第１支持桿と回動自在に連結する。【選択図】　図５
0003096844.tif 000002
【実用新案登録請求の範囲】
【請求項１】
断面が方形を呈する中空の管材である桿体であって、一端に連結部が一体に形成され、他端が背もたれフレームに回動自在に連結する第１支持桿と、
一端が該第１支持桿の連結部に回動自在に連結し、他端が座部フレームに回動自在に連結する第２支持桿とによって構成されるベッド兼用ソファーの肘掛フレーム構造であって、
該第１支持桿の連結部は、該桿体部の一端において両側面と上面が延伸して断面がコの字状を呈し、該桿体部の端面に沿って切欠溝を形成し、切欠溝から折り曲げて接合部を溶着して固定するとともに、該連結部の両側面の適宜な位置には管通孔を穿設し、
該第２支持桿は、第１支持桿の連結部に連結する一端は上面が適宜な角度の円弧線を描く面取り部が形成され、かつ該面取り部に連なる下方は垂直線状端縁部とし、さらに両側面にはそれぞれ貫通孔を穿設し、該面取り部が形成された一端を該第１支持桿の一端の連結部内に嵌挿し、それぞれの貫通孔の位置を合わせて回動軸を挿通させて第１支持桿と回動自在に連結することを特徴とするベッド兼用ソファーの肘掛フレーム構造。
【考案の詳細な説明】
【０００１】
【考案の属する技術分野】
この考案は、ベッド兼用ソファーのフレーム構造に関し、特に肘掛となるフレーム構造部に関する。
【０００２】
【従来の技術】
従来のベッド兼用ソファーのフレーム構造を図１に開示する。該フレーム構造の内、肘掛部フレーム構造（１）は、支持桿（１０）（１１）と、単一方向回転ギア（２）とによって構成され、支持桿（１０）は一端が単一方向回転ギア（２）を介して座部フレーム（３）に連結し、他端は、背もたれフレーム（４）から延伸する連結板（４０）をリベットなどで回動自在に連結する。
【０００３】
以上の構造による肘掛部フレーム構造（１）は、図２に開示するように背もたれフレーム（４）を起こして背もたれとなる状態にすると、支持桿（１０）と支持桿（１１）は、単一方向回転ギア（２）と支持桿（１０）と支持桿（１１）との連結部、及び支持桿（１１）と背もたれフレーム（４）との連結部をそれぞれ支点として所定の角度に曲がり、肘掛の形状を呈する。肘掛部フレーム構造（１）が肘掛の形状を呈する場合、支持桿（１０）は単一方向回転ギア（２）の作用によって、回転方向に対して位置決めを行うため、逆方向に屈折することはない。
【０００４】
但し、上述の構造においては、フレーム構造全体での単一方向回転ギアの使用量が増加し、相対的に製造コストが高くなる。しかも、ベッド兼用ソファーの体積が増大し、肘掛の数も増えた場合、製造コストは更に高くなる。
【０００５】
この考案は、単一方向回転ギアの使用量を減少し、製造コストを節減するとともに、確実に肘掛を構成することのできるベッド兼用ソファーの肘掛フレーム構造部を提供することを課題とする。
【０００６】
【課題を解決するための手段】
そこで、本考案者は従来の技術に見られる欠点に鑑みて鋭意研究を重ねた結果、断面が方形を呈する中空の管材である桿体であって、一端に連結部が一体に形成され、他端が背もたれフレームに回動自在に連結する第１支持桿と、一端が該第１支持桿の連結部に回動自在に連結し、他端が座部フレームに回動自在に連結する第２支持桿とによってなり、該第１支持桿の連結部を下方に折り曲げ、かつ両側面に貫通孔を穿設し、第２支持桿の該連結部に連結する一端は上面が適宜な角度の円弧線を描く面取り部が形成し、かつ該面取り部に連なる下方は垂直線状端縁部とし、さらに両側面にはそれぞれ貫通孔を穿設し、該面取り部が形成された一端を該第１支持桿の一端の連結部内に嵌挿し、それぞれの貫通孔の位置を合わせて回動軸を挿通させて第１支持桿と回動自在に連結する構造によって本考案の課題を解決できる点に着眼し、かかる知見に基づいて本考案を完成させた。
【０００７】
以下、この考案について具体的に説明する。
請求項１に記載するベッド兼用ソファーの肘掛フレーム構造は、断面が方形を呈する中空の管材である桿体であって、一端に連結部が一体に形成され、他端が背もたれフレームに回動自在に連結する第１支持桿と、
一端が該第１支持桿の連結部に回動自在に連結し、他端が座部フレームに回動自在に連結する第２支持桿とによって構成されるベッド兼用ソファーの肘掛フレーム構造であって、
該第１支持桿の連結部は、該桿体部の一端において両側面と上面が延伸して断面がコの字状を呈し、該桿体部の端面に沿って切欠溝を形成し、切欠溝から折り曲げて接合部を溶着して固定するとともに、該連結部の両側面の適宜な位置には管通孔を穿設し、
該第２支持桿は、第１支持桿の連結部に連結する一端は上面が適宜な角度の円弧線を描く面取り部が形成され、かつ該面取り部に連なる下方は垂直線状端縁部とし、さらに両側面にはそれぞれ貫通孔を穿設し、該面取り部が形成された一端を該第１支持桿の一端の連結部内に嵌挿し、それぞれの貫通孔の位置を合わせて回動軸を挿通させて第１支持桿と回動自在に連結する。
【０００８】
【考案の実施の形態】
この考案は、ベッド兼用ソファーのフレーム構造において肘掛となるフレーム構造部を提供するものであって、一端が背もたれフレームに回動自在に連結し、他端に連結部を形成した第１支持桿と、一端が該第１支持桿の連結部に回動自在に連結し、他端が座部フレームに回動自在に連結する第２支持桿とによって構成される。
かかるベッド兼用ソファーの肘掛フレーム構造の特徴を詳述するために、具体的な実施例を挙げて以下に説明する。
【０００９】
【実施例】
図３、４にこの考案によるベッド兼用ソファーの肘掛フレーム構造部を開示する。図面によれば、肘掛フレーム構造部は第１支持桿（５０）と、第２支持桿（５１）とによって構成される。第１支持桿（５０）は、図４に開示するように断面が方形を呈する中空の管材である桿体部（５０２）と、該桿体部（５０２）の一端に一体に形成する連結部（５０１）とによってなる。
【００１０】
該第１支持桿（５０）は、該桿体部（５０２）の一端において両側面と上面が延伸し、断面がコの字状を呈する連結部（５０１）を形成し、延伸する両側面には、桿体部（５０２）の端面に沿った垂直線（５０６）と、該垂直線（５０６）に対して該桿体部（５０２）の上面で交差する斜線（５０５）に沿って底辺から切り欠いた適度な角度の切欠溝（５０３）を形成し、さらに該連結部（５０１）を第１支持桿（５０）の桿体部（５０２）の方向、即ち下方に折り曲げて該垂直線（５０６）と斜線（５０５）とを接合させ、接合部を溶着して固定する。また、該連結部（５０１）の両側面の適宜な位置には管通孔（５０４）を穿設する。さらに第１支持桿（５０）の他端の両側面には貫通孔（５０７）をそれぞれ穿設する。
【００１１】
第２支持桿（５１）は。図５に開示するように第１支持桿（５０）と同様に断面が方形を呈する管体であるが、直径が第１支持桿（５０）に比してやや狭く形成され、第１支持桿（５０）に連結する一端は上面が適宜な角度の円弧線を描く面取り部（５１１）を形成する。該面取り部（５１１）に連なる下方は垂直線状端縁部（５１２）とする。また第２支持桿（５１）の第１支持桿（５０）に連結する一端の両側面にはそれぞれ貫通孔（５１３）を穿設する。第２支持桿（５１）の他端両側面にもそれぞれ貫通孔（５１４）を穿設する。
【００１２】
第１支持桿（５０）と第２支持桿（５１）とを連結する場合は、第２支持桿（５１）の面取り部（５１１）が形成された一端を第１支持桿（５０）の一端の連結部（５０１）内に嵌挿し、それぞれの貫通孔（５０４）（５１３）の位置を合わせ、かつリベット（６）を挿通させて回動自在に連結する。また第２支持桿（５１）の他端は座部フレーム（７）から延伸する連結板（７０）を介してリベットで座部フレーム（７）と回動自在に連結する。第１支持桿（５０）の他端は背もたれフレーム（８）から延伸する連結板（８０）を介してリベットで背もたれフレーム（８）と回動自在に連結する。
【００１３】
図６、７に開示するように、背もたれフレーム（８）を上方に起こし背もたれの状態にすると第１支持桿（５０）と第２支持桿（５１）は背もたれフレーム（８）の動作に連動して、座部フレーム（７）と第２支持桿（５１）との連結部、第１支持桿（５０）と第２支持桿（５１）との連結部、及び第１支持桿（５０）と背もたれフレーム（８）との連結部をそれぞれ支点として屈折し、肘掛の状態を形成する。
【００１４】
図７に開示するように、第１支持桿（５０）の連結部（５０１）は、第２支持桿（５１）の連結端を被覆するため、第１支持桿（５０）と第２支持桿（５１）とが連結した状態において、水平状態から一方向のみに向かって屈折し、第２支持桿（５１）が垂直になるが、逆方向には屈折しない。さらに、第１支持桿（５０）と第２支持桿（５１）とが水平状態にある場合、第１支持桿（５０）の桿体部（５０２）の端面と、第２支持桿（５１）の連結端の垂直線状端縁部（５１２）とが当接し、第２支持桿（５１）が下方に屈折することを確実に防ぎ、位置決めされる。さらに、第２支持桿（５１）が水平状態から垂直状態になる動作は、第２支持桿（５１）の連結端に形成された面取り部（５１１）の作用によって円滑に行うことができる。即ち、かかる構造は、従来の構造における単一方向回転ギアと同様の効果を達成することができる。
【００１５】
以上はこの考案の好ましい実施例であって、この考案の実施の範囲を限定するものではない。よって、当業者のなし得る修正、もしくは変更であって、この考案の精神の下においてなされ、かつこの考案に対して均等の効果を有するものは、いずれもこの考案の実用新案登録請求の範囲に属するものとする。
【考案の効果】
この考案によるベッド兼用ソファーの肘掛フレーム構造は、簡易な構造で従来の構造における単一方向回転ギアを使用することなく同様に支持桿連結部の屈折方向を制限し、かつ位置決めする効果を達成することができる。よって、製造コストを節減する効果を有する。
【図面の簡単な説明】
【図１】従来のベッド兼用ソファーのフレーム構造を表わす斜視図である。
【図２】図１に開示するベッド兼用ソファーのフレーム構造であって、ソファーとして使用する状態を表わす斜視図である。
【図３】この考案によるベッド兼用ソファーのフレーム構造を表わす斜視図である。
【図４】この考案における第１支持桿の連結部の構造を表わす説明図である。
【図５】この考案における第１支持桿と第２支持桿の連結を表わす説明図である。
【図６】図３に開示するベッド兼用ソファーのフレーム構造であって、ソファーとして使用する状態を表わす斜視図である。
【図７】図３に開示するベッド兼用ソファーのフレーム構造の動作を表わす説明図である。
【符号の説明】
１　　　　　　肘掛部フレーム構造
１０　　　　　支持桿
１１　　　　　支持桿
２　　　　　　単一方向回転ギア
３　　　　　　座部フレーム
４　　　　　　背もたれフレーム
４０　　　　　連結板
５０　　　　　第１支持桿
５０１　　　　連結部
５０２　　　　桿体部
５０３　　　　切欠溝
５０４　　　　貫通孔
５０５　　　　斜線
５０６　　　　垂直線
５０７　　　　貫通孔
５１　　　　　第２支持桿
５１１　　　　面取り部
５１２　　　　垂直線状端縁部
５１３　　　　貫通孔
５１４　　　　貫通孔
６　　　　　　リベット
７　　　　　　座部フレーム
７０　　　　　連結板
８　　　　　　背もたれフレーム
８０　　　　　連結板
【図１】
0003096844.tif 000003
【図２】
0003096844.tif 000004
【図３】
0003096844.tif 000005
【図４】
0003096844.tif 000006
【図５】
0003096844.tif 000007
【図６】
0003096844.tif 000008
【図７】
0003096844.tif 000009